(57)【特許請求の範囲】
【請求項１】
光を遮り、地上に略直立して伸び、一定の高さに成長した段階で刈り取り予定となる作物を対象とし、
ａ）遮光性を備え、前記作物の上を囲って立設可能で、前記作物の刈取り予定を越える高さを備えたチューブと、
ｂ）内部に光を漏らさない遮光性と、前記作物の成長に押されて上昇可能な可撓性とを有する蓋体と、
ｃ）該蓋体の上部に設けた前記作物の刈り取り予定の目安となる計測体と、
から成る農作物遮光栽培装置であって、
前記蓋体が、前記チューブの径より長い縦幅部と短い横幅部とを有し、前記縦幅部の先端部が前記チューブ内で両側から拘束されて断面逆Ｕ字形に湾曲するとともに復元力で該チューブ内周面を押圧して板面中央部を水平に維持可能とした芯板材と、前記芯板材の上面に張設され、前記チューブの輪切り断面積より大きい面積を有し、遮光性を備えた膜状の遮光膜体と、から成ることを特徴とする農作物遮光栽培装置。
【請求項２】
芯板材を、縦幅部の横幅を先端部は広く且つ基端部から中間部は狭く形成したことを特徴とする請求項１に記載の農作物遮光栽培装置。
【請求項３】
チューブの輪切り断面積より大きい面積を有し、遮光性を備えた膜状の補助遮光膜体を、遮光膜体に重ねるとともに周囲をスカート状に捲り上げて遮光膜体の上面に付着させたことを特徴とする請求項１又は２記載の農作物遮光栽培装置。
【請求項４】
蓋体に、前記チューブの内周面に沿って下方へ伸びる傾き防止板を設けたことを特徴とする請求項１から３うちいずれかに記載の農作物遮光栽培装置。
【請求項５】
計測体に、高さ方向の目盛を設けたことを特徴とする請求項１から４うちいずれかに記載の農作物遮光栽培装置。
【請求項６】
作物上に設置したチューブを略直立状態で吊上げる吊上げ手段を備えたことを特徴とする請求項１から５のうちいずれかに記載の農作物遮光栽培装置。
【発明の詳細な説明】
【技術分野】
【０００１】
本発明は、ホワイトアスパラガスや白ウドなどの細長い白色系農作物の栽培装置に関する。
【背景技術】
【０００２】
アスアパガスなどの農作物の栽培では、光合成で新芽の色が緑に変わるのを抑えて、全体を白い状態の商品にするため、土を被せて光を遮って行う栽培方法が実施されているが、背が高く成長する作物に土を覆う作業には多くの労力と時間を要するため、これを改善することが試みられている。
例えば、下記特許文献１には、筒体を作物に被せて遮光する「植物体の遮光装置」が提案されている。
【先行技術文献】
【特許文献】
【０００３】
【特許文献１】特開２００５−２４５３７６号公報
【発明の概要】
【発明が解決しようとする課題】
【０００４】
上記特許文献１の「植物体の遮光装置」は、スパラガスの芽の上に筒体を被せることでスパラガスに光を当ないようにするものであるが、遮光させるため筒体は不透明なので内部を見ることができず、アスパラガスの成長の程度を知ることができない。このため最適時期に収穫するのを逸したり、又収穫時期の予定も立て難いという難点があった。
本発明は、上記事情に鑑みてなされたもので、遮光のため内部を透視できない筒体中の農作物の成長を、筒体を抜き取ることなく一目で農作物の成長の程度を知ることが可能となる農作物遮光栽培装置を提供するものである。
【課題を解決するための手段】
【０００５】
上記課題を解決するため、本発明の農作物遮光栽培装置は以下の構成とした。
即ち、請求項１の発明においては、光を遮り、地上に略直立して伸び、一定の高さに成長した段階で刈り取り予定となる作物を対象とし、ａ）遮光性を備え、前記作物の上を囲って立設可能で、前記作物の刈取り予定を越える高さを備えたチューブと、ｂ）内部に光を漏らさない遮光性と、前記作物の成長に押されて上昇可能な可撓性とを有する蓋体と、ｃ）該蓋体の上部に設けた前記作物の刈り取り予定の目安となる計測体と、から成る農作物遮光栽培装置である。
【０００７】
そして、前記蓋体が、前記チューブの径より長い縦幅部と短い横幅部とを有し、前記縦幅部の先端部が前記チューブ内で両側から拘束されて断面逆Ｕ字形に湾曲するとともに復元力で該チューブ内周面を押圧して板面中央部を水平に維持可能とした芯板材と、前記芯板材の上面に張設され、前記チューブの輪切り断面積より大きい面積を有し、遮光性を備えた膜状の遮光膜体と、から成ることを特徴とする。
【０００８】
請求項２の発明は、上記発明において、前記芯板材を、縦幅部の横幅を先端部は広く且つ基端部から中間部は狭く形成したことを特徴とする。
【０００９】
請求項３の発明は、上記発明において、前記チューブの輪切り断面積より大きい面積を有し、遮光性を備えた膜状の補助遮光膜体を、遮光膜体に重ねるとともに周囲をスカート状に捲り上げて遮光膜体の上面に付着させたことを特徴とする。
【００１０】
請求項４の発明は、上記発明において、前記蓋体に、前記チューブの内周面に沿って下方へ伸びる傾き防止板を設けたことを特徴とする。
【００１１】
請求項５の発明は、上記発明において、前記計測体に、高さ方向の目盛を設けたことを特徴とする。
【００１２】
請求項６の発明は、上記発明において、前記作物上に設置したチューブを略直立状態で吊上げる吊上げ手段を備えたことを特徴とする。
【発明の効果】
【００１３】
本発明の農作物遮光栽培装置をアスパラガス等の作物栽培に用いたとき、アスパラガスなどの作物の芽出しした新芽に被せると、光が遮られて新芽の光合成が行えず白い状態となって根からの栄養で成長する。その際、その新芽の成長に合わせて前記蓋体がチューブの内にスライドして押し上げられて行く。
そして、該記蓋体が一定の高さになると、前記チューブの上部開口からに計測体が突出して行く。そしてこの計測体の突出した部分の長さで中の作物の新芽の成長の程度を正確に計り知ることが可能となる。
このため、作物を収穫する予定の長さを決めておけば、前記計測体の突出し長さを見て的確な収穫が行える。
【００１４】
その際、前記蓋体を構成する芯板材や遮光膜体は薄く軽く、前記チューブ内周面と前記蓋体との摩擦抵抗も可撓性の調節で少なくすることができるので、新芽の成長を上から抑える程のストレスを与えることなく作物を正常に成長させることができる。
【００１６】
又、前記チューブ内を前記蓋体が昇降するときの前記芯板材の可撓性による抵抗力は、前記芯板材の板厚が薄いほど小さく、厚い場合には大きくなる。過度に大きいと前記蓋体が作物の成長を抑えて上昇できなくなる。
このような可撓性による抵抗力をより少なくするために、該芯板材の縦幅部の幅を小さく形成することが可能である。
縦幅部の幅を小さくすると湾曲させたときの復元力が小さくなり、前記チューブ内を昇降するときの抵抗力を減少させ、作物に与えるストレスをより少なくすることが可能となる。
【００１７】
請求項２に記載の発明においては、前記芯板材の縦幅部の先端部を幅広く形成することで、縦幅部の先端部に被る遮光膜体とチューブの内周面との密接性を高め、前記遮光膜体とチューブの内周面との間に発生する隙間を少なくすることが可能となる。
更に基端部から中間部を狭く形成することで縦幅部を湾曲させたときの復元力を小さくさせることができ、この結果前記チューブ内を昇降するときの抵抗力を減少させて作物に与えるストレスを更に少なくすることが可能となる。
【００１８】
請求項３に記載の発明においては、前記補助遮光膜体が前記遮光膜体の上面でチューブの上部開口から侵入しようとする光を二重に遮断することが可能となる。
そして、前記遮光膜体とチューブとの間にたとえ隙間が発生したとしても、その上から前記補助遮光膜体が隙間の発生を防ぎ、光をより確実に遮断させることが可能となる。
【００１９】
請求項４に記載の発明においては、チューブの内周面に傾き防止板が接触して傾き防止板が縦になって支持されることで、前記芯板材の傾きが防止される。そして、蓋体が傾いたり、斜めに引っ掛かったりすることなく円滑に上昇させることが可能となる。
特に、新芽がチューブの中心から外側に反れて成長したり、チューブを多少斜めに立ててたとしても、新芽に押されてチューブ内の蓋体を正常に上昇させることが可能となる。
【００２０】
請求項５に記載の発明においては、前記計測体に設けた目盛で、チューブの中で外から見えない作物の成長を、作物からチューブを外すことなく、一目で正確に計測することが可能となる。
【００２１】
請求項６に記載の発明においては、吊糸又は吊紐でチューブを吊上げる吊上げ手段を備えることで、作物の真上から垂らした吊糸又は吊紐で、作物の上に跨ぐようにチューブを被せて、直立状態とさせることが可能となる。
その際、チューブへリングを装着する態様では、該チューブの外周面とリング内周面との間に糸を挟むことで、吊糸又は吊紐の先端部寄りを簡単に固定できる。この場合、チューブは軽いので自然に引き抜けてしまうことはなく、又収穫が終わってチューブを吊糸又は吊紐から外そうとするときには、その吊糸又は吊紐を軽く引くだけ簡単に外すことが可能となる。
【図面の簡単な説明】
【００２２】
【図１】（イ）は巻付けチューブを示す斜視図であり、（ロ）及び（ハ）は短く切断したチューブを示す斜視図である。
【図２】（イ）は巻付けチューブを示す斜視図であり、（ロ）は短く切断したチューブを示す斜視図である。
【図３】本発明の（イ）は斜視図であり、（ロ）は底面図である。
【図４】別の形態の底面図である。
【図５】また別の形態の底面図である。
【図６】本発明の蓋体を示す斜視図である。
【図７】別の形態の蓋体を示す斜視図である。
【図８】また別の形態の蓋体を示す斜視図である。
【図９】本発明の使用状態を示す斜視図である。
【図１０】本発明の（イ）がアスパラガスの上端が上昇体に接触前の成長段階を示し、（ロ）がアスパラガスが上昇体が押し上げて上昇中の状態を示し、（ハ）が成長によって計測体を上部に突出させて上昇させている状態を示す各縦断側面図である。
【発明を実施するための形態】
【００２３】
本発明の実施形態を、以下本発明の実施例を示す図に基づいて説明する。
本発明は、図３の（イ）及び（ロ）に示すように、円筒状のチューブ１内に蓋体３を内蔵した農作物遮光栽培装置である。
該チューブ１は中にアスパラガスなどの農作物の芽が成長する際に、新芽が中央部になるように立てて周囲を囲うものであり、該作物の収穫時まで覆うことできるように、該チューブ１の長さを使用する作物の高さに合わせて決める。
そして、該チューブ１の中に外部の光が入らないように、チューブ１自体が遮光性を有する材質の物や、表面を黒く塗った物を使用する。
【００２４】
前記チューブ１内に納める前記蓋体３は、図３の（イ）及び（ロ）に示すように、前記作物の成長に押される上昇可能な可撓性とを有する芯板材４と、該芯板材４に張設した遮光性を有する遮光膜体７と、作物の成長の目安を見る計測体９とから成る。
【００２５】
該蓋体３を構成する芯板材４は、薄い弾発性合成樹脂製の可撓性を有する板材で作成し、前記チューブ１の内周面に拘束されて、図１０に示すように、上方への移動を可能とする。
このため、該芯板材４は前記板材を、図３の（ロ）に示すように、チューブ１の径より長い縦幅部５と短い横幅部６とで十字形に形成し、図１０に示すように、前記縦幅部５の先端部が前記チューブ１内で両側から拘束されて断面逆Ｕ字形に湾曲するとともに復元力で該チューブ１の内周面を押圧して横幅部６部分の板面中央部を略水平に維持可能とする。
【００２６】
又前記遮光膜体７は、黒い色の耐水性及び通気性を有する柔らかい合成繊維布や不織布等の薄膜材を用い、図３の（ロ）及び図６に示すように、前記芯板材４の上面中央部で固着し、その大きさは、チューブ１の上部からの光の侵入を遮ることができるように前記チューブ１の輪切り断面積より大きい面積とする。
【００２７】
又、前記計測体９は、図３の（イ）及び図６に示すように、前記芯板材４の上部に直立させて設ける。
その設置位置は、図６では前記芯板材４の横幅部６の両端に直立させた態様を示しているが、該芯板材４の上部であれば、この他の部分に直立させても良い。
【００２８】
そして、本発明は、図９に示すように、  該蓋体３を内部に装着したチューブ１をアスパラガスの新芽Ａ４に被せるようにして培土上に立て、周囲から新芽Ａ４に当たる光の侵入を遮断し、光合成ができずに根からの栄養で白く成長した新芽が、図１０の（イ）、（ロ）、（ハ）の順に前記チューブ１内の蓋体３を押し上げる。そして、前記計測体９が前記チューブ１内の上部の開口部から突出すると、前記計測体９の長さを把握していればその突出した長さで中の作物の高さを計算することが可能となる。
そして、前記チューブ１を外さずに外から見て、予定した所望の高さに成長したことが確認できた作物は、正確に予定通りのサイズで収穫されこととなる。
【００２９】
前記チューブ１は、黒色の遮光性を有する円筒状の合成樹脂製の硬質パイプを使用した場合、図５に示すように、そのままその中に前記遮光膜体７を入れて装着することができるが、図１の（イ）に示すように、黒い遮光性を有する柔軟な合成樹脂製の巻付けチューブＲをカットして得られた短いチューブ１を使用することも可能である。このチューブ１は、巻付けチューブＲを短く切って大量に得られ、得られた平坦状のチューブは容器に嵩張らずに収納することができる利点がある。
【００３０】
そこで、次に該巻付けチューブＲから得られるチューブ１を使用した実施例に基づいて、アスパラガスの栽培例でさらに詳細に説明する。
【００３１】
該実施例においては、図１の（イ）に示すように、遮光性と弾力性を有する塩化ビニールなどの合成樹脂製の巻付けチューブＲを、図の（ロ）に示すように、アスパラガスの収穫長さ２５ｃｍに合わせたチューブカット部Ｋで３０ｃｍの長さに短く切断して得た６ｃｍ径のチューブ１を用いる。
この形態では、図３に示すように、前記チューブ１の外周の少なくとも上下２箇所に６ｃｍ径の硬質合成樹脂製のリング２を嵌め、潰れていた前記チューブ１を円筒状となるように強制的に開拡させる。
そして、該円筒状に開いたチューブ１内に、内部で成長するアスパラガスに押されて上昇する蓋体３を装着する。
【００３２】
前記巻付けチューブＲ、例えば、農業用で給水するための合成樹脂製巻付けチューブが、遮光性と弾力性を有しているので、これを短く切って利用することができる。
その際に、図１の（ハ）に示すように、平坦状に折り畳まれたチューブ１の少なくとも１箇所のコーナー部分を斜めに切り取り面取り部１２を形成すると、その面取り部１２側から前記リング２が差し込み易くなり、前記リング２の差し込みを多量に行う場合に作業能率を上げるこが可能となる。
又、図２の（イ）及び（ロ）に示すように、円筒形の黒いゴム製のチューブを平坦に潰して巻付けた巻付けチューブＲを用い、これを短く切って円筒形に復元したチューブ１を利用することも可能である。
【００３３】
上記の如く平坦状に潰れているチューブ１を円筒状となるように強制的に開拡するためには、潰れているチューブ１の幅よりも小さい径の真円形の硬質合成樹脂製のリング２を使用するが、図１の（ロ）及び（ハ）に示した平坦なチューブ１にこれを嵌めると、図３に示すように、潰れているチューブ１を両側を押圧してチューブ１を強制的に円筒状に広げて、その円形の状態を維持させることが可能となる。
このリング２は、前記チューブ１の一方端部側だけに装着しても、他方端部側では開ききらず、前記チューブ１の全体を円筒状に維持することは難しいので前記チューブ１の少なくとも上下２箇所に嵌めて使用する。
前記チューブ１が長い場合には、１つのチューブ１に対して前記リング２を等間隔に数個使用することが必要となる場合もある。
【００３４】
そして、前記チューブ１内に入れる前記蓋体３については、図６に示すように、芯板材４を、０．３ｍｍの薄い弾発性合成樹脂製の可撓性を有する板材を用いて、円筒状の前記チューブ１の径より短い５.５ｃｍ長さの横幅部６と、前記チューブ１の径より長い７ｃｍ長さの縦幅部５とて十字形を形成する。
そして、該芯板材４の上面に遮光膜体７を広げて付着し、更に前記芯板材４の短い横幅部６側の対向両端に上方に向けて棒状の長さ１０ｃｍの計測体９を直立させて設ける。
【００３５】
前記芯板材４は、板厚は０．３ｍｍと薄く、前記アスパラガスの成長に押されて上昇可能な可撓性が得られる弾発性に優れたアクリル樹脂を用いる。
そして、前記芯板材４の上面に遮光膜体７が固着された蓋体３を、前記リング２で円筒状に開拡された前記チューブ１内に、図１０に示すように、前記チューブ１の径より両端部間が長い縦幅部５の各先端部を下方へ湾曲させて断面逆Ｕ字形に湾曲させた状態で装着する。
前記芯板材４の可撓性の程度は、前記チューブ１内をアスパラガスの成長に押されて蓋体３が上昇可能となる程度より小さい摩擦抵抗が得られるものを用いる。そして、湾曲に曲げたときの復元力で円筒状の前記チューブ１内を自然落下しないように蓋体３が支持され、アスパラガスにストレスをできるだけ与えず、成長を妨げないように薄くて軽いものを用いる。
【００３６】
該芯板材４の前記チューブ１内を昇降するときの抵抗力は、前記芯板材４の板厚が薄いほど小さくなるが、より抵抗力をより少なくするためには、図４に示すように、該芯板材４の縦幅部５の基端部から中間部にかけての幅を小さくした狭幅部５ａを形成すると良い。
この形態では、該芯板材４は該狭幅部５ａ部分の折り曲げて復元する弾発力が小さくなり、前記チューブ１内を昇降するときの抵抗力を減少させることが可能となる。
又、この形態の場合、前記芯板材４の縦幅部５の先端部は幅広く形成することで、縦幅部５の先端部に被る遮光膜体とチューブ１の内周面との密接性を高め、前記遮光膜体７とチューブ１の内周面との間に発生する隙間を少なくすることが可能となる。
なお、遮光膜体７での遮光性を、更に高めるために前記芯板材４の色は黒いものを使用すると良い。
【００３７】
前記遮光膜体７は、図４及び図５に示すように、周縁が開拡された前記チューブ１内の全周に接して該チューブ１内周面１３との間に隙間を生じることなく遮光できる大きさに形成する。
その材料は、黒い合成樹脂膜などで薄くて軽く、高い遮光性が得られる材質のもので、ある程度の弾力性を備え、外周が前記チューブ１の内周面の形状に追随して変形するものを用いる。
その理由は、該チューブ１をリング２で広げた形態では、図３の（ロ）に示すように、真円とはならず、平坦に畳んだときの折り目部分に若干の隙間ができ易いからである。
この遮光膜体７の遮光性をさらに高めるため、図５に示すように、前記芯板材４の縦幅部の先端部の幅を大きくしてその部分が沿わせるように形成すれば、前記芯板材４の縦幅部と前記チューブ１の内周面との間の隙間をより少なくし遮光性を高めることが可能となる。
【００３８】
前記計測体９は、図３の（イ）及び図６に示すように、前記芯板材４に上部にアスパラガスを収穫するための長さを決める長さの目安となる１０ｃｍ程度の細長いプラスチック製の棒状体又は板状体を直立する。
前記芯板材４は、中央に１本直立させてもアスパラガスの成長を知る目安になるが、前記蓋体３には多少の傾きが生じるので、正確に知るためには、図５に示すように、前記芯板材の横幅部６の対向両端に上方に向けて２本直立させると良い。この態様では、チューブ１の上端から突出した部分の２本の長さの平均値を出せばアスパラガスの成長の程度を正確に知ることができる。
【００３９】
又、図８に示すように、前記蓋体３の計測体９に高さ方向の目盛１０を設けることもできる。この形態では、図１０に示すように、アスパラガスの成長に合わせて変化する計測体９の目盛１０部分のチューブ１上端からの突出量が読み取れ、より正確にアスパラガスの成長を知ることが可能となる。
この計測体９の目盛は、筒体３中の作物の成長高さを外から知るものであり、その目盛線が筒体３の開口部に現れたときの中作物の生長高さであることを示す数字を書き入れておくことができる。
又、高さごとに異なる色で色分けした目盛を設けることもできる。この場合、例えば赤、青、黄の三色を下から順に着色すれば、黄色が目視されたら収穫準備をし、青が見えたら収穫開始し、赤が見えたら青よりも優先的に収穫することとするというように外から見える色で収穫のタイミングを決めることが可能となる。
【００４０】
以上でアスパラガスを例に実施例を説明したが、次に本発明の各種形態について詳しく説明する。
例えば、図７に示すように、前記遮光膜体７の上に前記蓋体３の遮光膜体７の中央部から内周面に向って上向きにスカート状に捲り上げて該遮光膜体７の中央に付着させた補助遮光膜体８を設けるこが可能である。
該補助遮光膜体３を前記遮光膜体７の上面に備えることで、前記チューブ１の上部開口から侵入しようとする光を前記遮光膜体７とで二重に光を遮断することが可能となる。そして、前記チューブ内周面と前記遮光膜体７との間に生じる隙間から漏れる光を確実に遮断させることが可能となる。
【００４１】
更に、図８に示すように、前記芯板材４の横幅部６の対向両端部に、チューブ１の内周面１３に沿って下方へ伸びる傾き防止板１１を設けることができる。
該傾き防止板１１は、前記芯板材４をチューブ１の内周面１３に前記芯板材４の中央部が水平状態を維持可能に拘束するので蓋体３の傾きが防止される。
作物の新芽の成長は、必ずしもチューブ１の中心を成長して垂直に伸びるとは限らない。このため該傾き防止板１１は、チューブ１の中心から外側に反れても蓋体３を傾かせずに中央部が水平状態を維持させて、下から押された蓋体３がチューブ内で傾いたり、斜めになって引っ掛かったりすることなく、円滑に上昇させることが可能となる。
なお、図３の（イ）に示すように、前記２本の計測体９の態様では、前記チューブ１の内周面に接することでチューブ１内の前記蓋体３を水平状態に支持させる作用も生じ、前記蓋体３のより安定的な上昇が可能となる。
【００４２】
又、本発明は、図９に示すように、作物の真上からチューブ１に装着したリング２に届くように吊糸１６を吊下げてその下端部１６ａで該チューブ１を吊上げ可能とした吊上げ手段１８を備えることができる。
該吊上げ手段１８は、例えば作物がホワイトスパラガスＡの場合、図９に示すように、培地の上に、支柱１４を立て、該支柱１４に手の届く高さで横方向に紐１５を架設し、該紐１５の上端部にフック１７を設けて、該フック１７を前記紐１５に掛け前記吊糸１６を吊下げる。そして、該吊糸１６の長さは、立てたチューブ１に装着されたリング２に届く程度の長さとし、該吊糸１６の下端部１６ａをチューブ１に装着した上側のリング２に挟んでチューブ１を縦に吊上げる形態が可能である。
この形態では、吊ったチューブ１を、図１０に示すように、ようやく確認できる程度に培土Ｇ上に露出したばかりのアスパラガスの新芽Ａ４の上に被せ、リング２に挟んだ糸を引いて、培土Ｇ上に直立できる長さに調節する。
なお、該吊上げ手段１８に使用する前記吊糸１６は吊紐に替えて用いても良い。
【００４３】
（使用方法）
次に本発明の使用方法を説明する。
まず、図９に示すように、アスパラガスＡの培土Ｇ上に吊上げ手段１８を設けて多数の吊糸１６を吊り下げる。
そして、前記リング２で開拡したチューブ１内に前記蓋体３を装着し、培土Ｇの上に載せて直立させる。
前記アスパラガスは親株Ａから多くの新芽Ａ４が生えてくるので、各新芽Ａ４対して前記蓋体３を装着した各チューブ１をそれぞれ被せる。
そして、吊り下げられている前記吊糸１６の下端部１６ａを、直立させたチューブ１に嵌めた上側のリング２の内周に挟んで軽く固定し、前記吊糸１６を引っ張りつつ、吊糸１６の弛みをとった状態にしてチューブ１を吊上げて該チューブ１を培土Ｇに対して直立状態に維持させる。この際、チューブ１を培土Ｇに刺して立てると、刺さった部分でアスパラガスＡの新芽周囲の根を切ってしまい、アスパラガスＡの新芽の成長に悪影響を及ぼすおそれがあるので、単に培土Ｇの上に載せるように立てる。
【００４４】
しばらくすると、アスパラガスの新芽Ａ４が、図１０の（イ）に示すようにチューブ１内で光を受けずに新芽Ａ１は光合成ができずに白くなって成長して行く。
そして、根からの養分でアスパラガスの新芽は成長し、図１０の（ロ）に示すように、前記蓋体３に当たって、アスパラガスの新芽Ａ２の上端部が逆Ｕ字形の中央部、即ちチューブ１の中央部へと導かれる。この時点ではまだ計測体９はチューブ１上端から突出してないので、成長の程度は計測体９の突出に到っていない程度であることを知ることができる。
更に成長が進むと、図１０の（ハ）に示すように、計測体９の上部がチューブ１上端から突出し、目盛１０でアスパラガスに新芽Ａ３の長さが読み取れるようになる。そして、予め決めておいた目盛１０に達したら収穫すれば良い。
【００４５】
収穫が終わったら、吊上げ手段１８を取り外し、前記チューブ１内の蓋体３を抜き取る。そして、チューブ１からリング２を外す。リング２を外したチューブ１は平坦に畳んでダンボール箱などの積み重ねて入れる。この際、チューブ１は平坦な状態となるので、円筒形にして使用した時よりは大幅に容積を減らすことが可能となる。このため不使用時にはコンパクトに倉庫などに収納、保管をして置くことができる。
【産業上の利用可能性】
【００４６】
本発明は、アスパラガスや白ウドのように自然光下では緑色に成長するが、遮光することで白色の商品となる各種農作物に広く利用することが可能となる。
【符号の説明】
【００４７】
１  チューブ
２  リング
３  蓋体
４  芯板材
５  芯板材の縦幅部
５ａ  縦幅部の狭幅部
６  芯板材の横幅部
７  遮光膜体
７ａ  遮光膜体の周縁
８  補助遮光膜体
９  計測体
１０  目盛
１１  傾き防止板
１２  面取り部
１３  チューブ内周面
１４  支柱
１５  紐
１６  吊糸
１６ａ  吊糸の下端部
１７  フック
１８  吊上げ手段
Ｒ  巻付けチューブ
Ｋ  チューブカット部
Ａ  アスパラガスの親株
Ａ１  アスパラガスの新芽
Ａ２  アスパラガスの新芽
Ａ３  アスパラガスの新芽
Ａ４  アスパラガスの新芽
Ｇ  培土
【図１】
0005452652.tif 000002
【図２】
0005452652.tif 000003
【図３】
0005452652.tif 000004
【図４】
0005452652.tif 000005
【図５】
0005452652.tif 000006
【図６】
0005452652.tif 000007
【図７】
0005452652.tif 000008
【図８】
0005452652.tif 000009
【図９】
0005452652.tif 000010
【図１０】
0005452652.tif 000011